(57)【要約】【課題】杭圧入引抜機において、杭圧入精度を低下させることなく、アタッチメントが取り付けられても、その運搬高さとなる全高を低くする。【解決手段】杭を地盤に対して圧入または引き抜くとともに、上部に杭の圧入引抜を補助するホースドラム装置１０が取り付けられる杭圧入引抜機１において、杭を把持するチャック部４と、このチャック部４を前面側で昇降自在に支持する機械本体部５とを備える。機械本体部５の前面側には、チャック部４に設けられた摺動部材４３を左右から挟んだ状態で摺動自在に係合し、スライダ４３の摺動によりチャック部４の上下方向の移動を案内する一対のレール部５４，５４が設けられ、機械本体部５の上部に、一対のレール４，５４の間に巻き取り装置１０を取り付け可能な凹部５３１を形成した。【選択図】　　　　図１
2004019215.tif 000002
【特許請求の範囲】
【請求項１】
杭を地盤に対して圧入または引き抜くとともに、上部にアタッチメントが取り付けられる杭圧入引抜機において、
杭を把持するチャック部と、
このチャック部を前面側で昇降自在に支持する機械本体部とを備え、
前記機械本体部の前面側には、前記チャック部に設けられた摺動部材を上下動自在に係合する左右一対のレールが設けられ、
前記機械本体部の上部には、前記左右一対のレールの間に前記アタッチメントを取り付け可能な凹部が形成されていることを特徴とする杭圧入引抜機。
【請求項２】
杭を地盤に対して圧入または引き抜く杭圧入引抜機の上部に取り付けられるホースドラム装置において、
前記ホースの巻き取り及び繰り出しが可能なドラムと、
前記ドラムの回転軸方向に隣接して配置され、前記ドラムを回転自在に支持する支持部と、
前記支持部から前記ドラムの外周より外方に延出されるとともに、前記ドラムの回転軸と直交する前記ドラム全幅の中心線に向かって曲がるように形成され、
前記中心線とほぼ重なる位置で支持される端部を有するアーム部とを備えることを特徴とするホースドラム装置。
【請求項３】
杭を地盤に対して圧入または引き抜く杭圧入引抜機の上部に取り付けられるホースドラム装置において、
前記ホースの巻き取り及び繰り出しが可能なドラムと、
前記ドラムの回転軸方向に隣接して配置され、前記ドラムを回転自在に支持する支持部と、
前記支持部から前記ドラムの外周より外方に延出されるとともに、前記回転軸と直交する前記ドラム及び前記支持部で構成されるドラム装置全幅の中心線に向かって曲がるように形成され、
前記中心線とほぼ重なる位置で支持される端部を有するアーム部とを備えることを特徴とするホースドラム装置。
【請求項４】
前記端部は、ドラム回転軸と略平行な軸を中心に回動可能に杭圧入引抜機に直接または取付ブラケットを介して取り付けられることを特徴とする請求項２または３記載のホースドラム装置。
【請求項５】
請求項４記載のホースドラム装置の端部が前記凹部内に直接または取付ブラケットを介して取り付けられ、
前記ドラムを前記機械本体部の前面側に前記軸を中心に回動させた際に、前記ドラム及びアーム部は前記機械本体部の上面の高さと同等以下の位置に配置されることを特徴とする請求項１記載の杭圧入引抜機。
【発明の詳細な説明】
【０００１】
【発明の属する技術分野】
本発明は、杭圧入引き抜きを行う際に用いるアタッチメントが取り付けられる杭圧入引抜機及び、杭圧入引抜機に用いられ、ジェット水（高圧水）用ホース等のホースが巻き付けられるホースドラム装置に関する。
【０００２】
【従来の技術】
杭圧入引抜機として、既設の杭から反力を取った状態で、新たな杭を昇降させることにより地盤に圧入したり、既設の杭から反力を取った状態で他の杭を引抜くものが知られている。
この杭圧入引抜機は、基本的に、先に圧入された杭を掴むクランプを下部に備えたサドルと、該サドルに対して前後にスライド移動するスライドフレームと、スライドフレーム上で旋回するマストと、旋回部の前方において油圧シリンダにより昇降可能で、かつ、杭を掴むチャックとを備えたものである。そして、杭圧入引抜機は、既に打ち込まれた杭をクランプで掴んで、既設の前記杭から反力を取った状態で、チャックに掴まれた杭を、チャックを降下させることにより地盤に圧入する。ところで、杭を圧入する地盤の状況によっては、圧入負荷の軽減や施工効率向上の目的で、ジェット水（高圧水）を地盤に噴射しながら杭を圧入する場合がある。
【０００３】
ジェット水を地盤に噴射しながら杭を圧入する杭圧入引抜機の一例を図７及び図８に示す。
図７及び図８に示す杭圧入引抜機８０は、クランプ部８１、サドル８２、マスト８４及びチャック部８５の他に、マスト８４上部に、先端に取り付けられたノズル９１からジェット水を噴射するジェットホース９２を巻き取ったり繰り出したりするホースドラム（以下ドラム）９３を備えたホースドラム装置９０が設けられている。なお、ジェットホース９２は、基端部がドラム９３の備えるスイベルジョイント９３ａ及び接続ホース９３ｂを介して高圧水ポンプに接続され、ドラム９３を新たに圧入する杭３の後方に配置して、先端のノズル９１から杭３を圧入する地盤に向かってジェット水を噴射し、杭下端近傍の土砂を流動しやすい状態にして、杭３の周面抵抗を軽減して杭３の圧入を容易にするものである。
【０００４】
上記ホースドラム装置９０では、ドラム９３が片持ち状態で回転可能にアーム９５の先端部に取り付けられ、アーム９５はドラムの半径方向に延出し、その基端部で、マスト８４の上部に取り付けられた取付ブラケット９６に回動自在に取り付けられている。アーム９５はシリンダ９７により取付ブラケット９６に対する傾斜角度が可変するように構成され、杭をチャック部８５に把持させる際にはドラム９３を実線位置となるようにし、杭３の上端がマスト８４までの高さと略同レベルより低くなった際に、ドラム９３を杭３の上部に配置するように構成されている。上記ホースドラム装置９０等の杭打ち用アタッチメントを備える杭圧入引抜機を運搬する際には、アタッチメント無しの周知の杭圧入引抜機と同様、架台にクランプ部を把持させた状態で運搬する。なお、上記構成のドラム装置９０では、ドラム９３をチャック部８５側に折り畳むことができ、この状態（図７に符号９３’で示す）でホースドラム装置９０を備える杭圧入引抜機８０の全体の高さＨ１（運搬全高）をアタッチメントを使用する際の杭圧入引抜機の全高Ｈ２より低くして杭圧入引抜機８０の運搬をし易くしている。
【０００５】
【発明が解決しようとする課題】
ところで、上述したホースドラム装置９０のような杭打ちを容易にするアタッチメントが杭圧入引抜機８０の上部に取り付けられている場合、その運搬性の向上を図るべく、ホースドラム装置９０等のアタッチメントを含む杭圧入引抜機８０の全高Ｈ１をさらに小さくしたいという要望がある。
この場合、マスト８４の高さを低くすることが考えられるが、マスト８４を低くすると、マスト８４にチャック部８５を昇降自在に支持させ、且つその昇降動を案内する摺動レールの長さも短くなり、これにより、チャック部８５の上下ストロークは短くなって、杭圧入引抜機自体の杭圧入効率が低下するのでマスト自体の高さは低くできない。
【０００６】
本発明の課題は、杭圧入引抜機において、杭圧入効率を低下させることなく、アタッチメントが取り付けられても、その運搬高さとなる全高を低くすることにある。
【０００７】
【課題を解決するための手段】
以上の課題を解決するため、請求項１記載の発明は、例えば、図１に示すように、杭を地盤に対して圧入または引き抜くとともに、上部にアタッチメント（例えば、ホースドラム装置１０）が取り付けられる杭圧入引抜機１において、杭を把持するチャック部４と、このチャック部を前面側で昇降自在に支持する機械本体部５とを備え、前記機械本体部の前面側には、前記チャック部に設けられた摺動部材４３を上下動自在に係合する左右一対のレール部５４，５４が設けられ、前記機械本体部の上部には、前記左右一対のレールの間に前記アタッチメントを取り付け可能な凹部５３１が形成されていることを特徴とする。
なお、アタッチメントは、杭圧入引抜機による杭の圧入を行うために用いるものや杭の圧入を行いやすくするためのものであり、例えば、ウインチ、ジェット水噴射用ホースの巻き取り繰り出しを行うホースドラム装置、杭圧入においてアースオーガを併用する際のアースオーガの油圧モータ用の油圧ホースを巻き取る装置などが挙げられる。
【０００８】
請求項１記載の発明によれば、前記杭圧入引抜機の機械本体部の上部に前記一対のレールの間に前記アタッチメントを取り付け可能な凹部５３１が形成されているので、この凹部に前記アタッチメントを取り付けることができ、凹部の深さ分、アタッチメントを備える杭圧入引抜機の全高を低くして、その運搬を容易に行うことができるとともに、前記アタッチメントはレール間に取り付けられることになり、前記レールに沿って摺動する前記チャック部の昇降のストロークを短くすることなく、圧入効率を高く保つことができる。
【０００９】
請求項２記載の発明は、例えば、図１及び図６に示すように、杭を地盤に対して圧入または引き抜く杭圧入引抜機の上部に取り付けられるホースドラム装置において、前記ホースの巻き取り及び繰り出しが可能なドラム１２と、前記ドラムの回転軸方向に隣接して配置され、前記ドラムを回転自在に支持する支持部１３と、
前記支持部から前記ドラムの外周より外方に延出されるとともに、前記ドラムの回転軸と直交する前記ドラム全幅の中心線Ｃ１に向かって曲がるように形成され、前記中心線とほぼ重なる位置で支持される端部（基端部１５１Ａ）を有するアーム部１５Ａとを備えることを特徴とする。
【００１０】
請求項２記載の発明によれば、ホースの巻き取り及び繰り出しが可能なドラムの回転軸と直交するドラムの中心線と略重なる位置で杭圧入引抜機の上部にアーム部の端部が取り付けられて支持されるので、前記杭圧入引抜機に取り付けられる端部の略真上に前記ドラムを配置することができる。
したがって、前面側にチャック部を昇降自在に支持するレールを備える杭圧入引抜機の機械本体の上部に、杭圧入引抜機の高圧入精度を維持した状態で全高を低くすべく、前記レールを避けたレール間に凹部を形成した場合でも、この凹部に前記一端部を固定して、前記ドラムを前記一対のレール間に配置されたものとすることができ、運搬全高が低く、運搬の容易なホースドラム装置を備えた杭圧入引抜機とすることができる。
また、前記ホースの巻き取り及び繰り出しの際にドラムの回転によりアーム部に加わるモーメントを、従来の片持ちで且つ固定される基端部とドラムとが上下方向で前記ドラムの軸方向でずれた位置で離間した構造よりも、小さくして好適にホースの巻き取り及び繰り出しを行うことができる。
【００１１】
請求項３記載の発明は、例えば、図１〜図３に示すように、杭を地盤に対して圧入または引き抜く杭圧入引抜機の上部に取り付けられるホースドラム装置において、前記ホースの巻き取り及び繰り出しが可能なドラム１２と、前記ドラムの回転軸方向に隣接して配置され、前記ドラムを回転自在に支持する支持部１３と、前記支持部から前記ドラムの外周より外方に延出されるとともに、前記回転軸と直交する前記ドラム及び前記支持部で構成されるドラム装置全幅の中心線Ｃに向かって曲がるように形成され、前記中心線とほぼ重なる位置で支持される端部１５１を有するアーム部１５とを備えることを特徴とする。
【００１２】
請求項３記載の発明によれば、ホースの巻き取り及び繰り出しが可能なドラム及び支持部の回転軸と直交するドラムの中心線と略重なる位置で杭圧入引抜機の上部にアーム部の端部が取り付けられて支持されるので、前記杭圧入引抜機の上部に取り付けられる前記アームの基端部の略真上に前記ドラム及び支持部を配置することができる。
したがって、前面側にチャック部を昇降自在に支持するレールを備える杭圧入引抜機の機械本体の上部に、杭圧入引抜機の高圧入精度を維持した状態で全高を低くすべく、前記レールを避けたレール間に凹部を形成した場合でも、この凹部に前記一端部を固定して、前記ドラム及び支持部を前記一対のレール間に配置されたものとすることができ、運搬全高が低く、運搬の容易なホースドラム装置を備えた杭圧入引抜機とすることができる。
また、前記ホースの巻き取り及び繰り出しの際にドラムの回転によりアーム部に加わるモーメントを、従来の片持ちで且つ固定される基端部とドラムとが上下方向で前記ドラムの軸方向でずれた位置で離間した構造よりも、小さくして好適にホースの巻き取り及び繰り出しを行うことができる。
【００１３】
請求項４記載の発明は、請求項２または３記載のホースドラム装置において、例えば、図１に示すように、前記端部１５１は、ドラム回転軸と略平行な軸を中心に回動可能に杭圧入引抜機１に直接または取付ブラケット１１を介して取り付けられることを特徴とする。
請求項４記載の発明によれば、前記ホースドラム装置では、その端部がドラム回転軸と略平行な軸を中心に回動可能に杭圧入引抜機１に直接または取付ブラケット１１を介して取り付けられるので、回動させることで杭圧入引抜機に取り付けられたホースドラム装置自体を折り畳むことができ、取り付けられた杭圧入引抜機自体の高さを低くして、その運搬を容易に行うことができる。
【００１４】
請求項５記載の発明は、例えば図１〜図５に示すように、請求項１記載の杭圧入引抜機において、請求項４記載のホースドラム装置の端部が前記凹部５３１内に直接または取付ブラケット１１を介して取り付けられ、前記ドラム１２を前記機械本体部５３の前面側に前記軸１１ｂを中心に回動させた際に、前記ドラム、支持部及びアーム部は前記機械本体の上面の高さと同等以下の位置に配置されることを特徴とする。
請求項５記載の発明によれば、前記機械本体部の上部の凹部内に直接または取付ブラケットを介して取り付けられた前記ホースドラム装置のドラムを前記機械本体の前面側に前記軸を中心に回動させた際に、前記ドラム、支持部及びアーム部は前記機械本体の上面の高さと同等以下の位置に配置されるので、前記レールに沿って摺動する前記チャック部の昇降のストロークを短くすることなく、圧入効率を高く保つことができるとともに、前記ホースドラム装置が取り付けられていても、その全高を前記機械本体の上面の高さと同等以下の高さに低く抑えることで運搬全高が低くなり、運搬を容易に行える。
【００１５】
【発明の実施の形態】
以下、図を参照して本発明の実施の形態を詳細に説明する。
まず、構成を説明する。
図１〜図５に示す杭圧入引抜機１は、既設の杭（矢板）から反力をとって新たに地盤に対して杭を圧入して打設すると共に、打設された杭上を移動可能となっている。そして、この移動と共に、新たな杭を地盤に圧入する。
杭圧入引抜機１は、チャック部４とこのチャック部４を昇降自在に支持する機械本体部５とを備えている。チャック部４は、チャック本体４１と、このチャック本体４１に設けられたチャック４２とを備え、チャック４２により杭を掴むようになっている。なお、チャック４２は、そのセンタを通る鉛直軸回りに回転可能となっている。
機械本体部５は、サドル５１と、サドル５１から垂下して既設の杭を挟持するクランプ部５２と、サドル５１上にスライドベースを介して立設されたマスト５３とを有し、このマスト５３上部にはホースドラム装置（巻き取り装置）１０が設けられている。
マスト５３の前面側には、上下に延在する一対のレール部５４，５４が左右に離間して設けられ、このレール部５４，５４にチャック本体４１に設けられた摺動部材４３が摺動自在に係合することでチャック部４が機械本体部５に対し昇降自在に支持されている。また、マスト５３には、チャック本体４１側に延出された左右一対のアーム５５，５５が設けられている。一方、チャック本体４１には、一対のシリンダ装置４４が上下に向けて且つ左右に離間して取り付けられており、シリンダ装置４４のシリンダロッド４４ａは下方に向けられている。そして、これらシリンダロッド４４ａ，４４ａの下端部は、前記アーム５５，５５の先端に連結されており、シリンダ装置４４の駆動によりシリンダロッド４４ａ，４４ａが伸縮することで前記チャック部４はレール部５４，５４に沿って上下動する。
さらにマスト５３の上部には、マスト５３の厚みの略中央、つまり、前面側に設けられた一対のレール部５４，５４の間に前後方向に延在する断面凹状の溝状の切欠部（以下凹部という）５３１が形成されている。この凹部５３１には、ホースドラム装置１０の取付ブラケット１１が内嵌した状態で固定されている。なお取付ブラケット１１は凹部５３１に溶接で取り付けられているが、これに限らずボルトやピンを介して取り付けたものとしてもよい。
【００１６】
ホースドラム装置１０は、杭圧入引抜機１による杭の圧入時には、地盤に対してジェット水（高圧水）を噴射する。なお、新たな杭には、ジェット水を噴射するジェットノズル（噴射手段）をノズルソケット（図示省略）を介して取り付ける。前記ジェットノズルはドラム１２及びホース２を介して図示しない高圧水ポンプに連結されており、この高圧水ポンプは、ホースを介して吸水ポンプに連結され、吸水ポンプにより水源から水を汲み上げるようになっている。そして、高圧水ポンプに汲み上げられた水は、この高圧水ポンプにより圧をかけられてホース２にジェット水を供給する。なお、本実施の形態ではジェット水を噴射するものとしたが、これに限らず、地盤改良剤やエアー噴出に用いられるものとしてもよい。
【００１７】
ホースドラム装置１０は、図３に示すように、ホースの巻き取り及び繰り出しが可能なドラム１２と、ドラム１２の回転軸１２ａの延在方向に隣接して配置され、ドラム１２を回転自在に支持する支持部１３と、支持部１３からドラム１２の外周より外方に延出されるとともに、ドラム１２の回転軸１２ａと直交するドラム１２と支持部１３とを合わせた厚みの中心を通る線に向かって折曲して形成され、ドラム１２の回転軸１２ａと直交するドラム１２及び支持部１３で構成されるドラム装置１４全幅の中心線Ｃと重なる位置で、マスト５３の上部に取り付けられる一端部を有するアーム部１５とを備える。なお、ここで中心線はドラム１２と支持部１３とを合わせた厚みの中心を通った、回転軸１２ａと直交する線であり、ドラム１２及び支持部１３とを合わせた厚みの軸方向の中心部分、つまりドラム装置１４の全幅の中心部分を通る鉛直線となっている。
ドラム１２は、回転軸１２ａを中心に回動自在に支持部１３に支持され、支持部１３には、ドラム１２を回転軸１２ａ回りに回転させる回転モータ１３１が内蔵されている。また、ドラム１２の、支持部１３と隣接する側の側面と反対側の側面には、内部でホース２の一端部が接続されるとともに、この接続されたホース２と外部のホース２１とを連結するためのスイベルジョイント部１６が設けられている。
【００１８】
アーム部１５は、この実施の形態では支持部１３と一体に形成されている。またアーム部１５の基端部１５１は、取付ブラケット１１に設けられた凹部１１ａに挿入され、支持ピン１１ｂにより回動自在に取り付けられている。
詳細には、アーム部１５の基端部１５１は、下方に開口するととともに杭圧入引抜機１の前後方向に延在する下向きの凹状に形成されてなり、この凹状を構成する対向した側壁部のそれぞれが、取付ブラケット１１の凹部１１ａの内側で、該凹部１１ａを構成する側壁部にそれぞれ軸心が同軸線上の支持ピン１１ｂを介して取り付けられている。取付ブラケット１１は、マスト５３の前後方向に延在して取付られた長尺のものであり、両端部がそれぞれ上方に開口する断面凹状に形成されている。そして、マスト５３の前側の一端部に上述した凹部１１ａが設けられ、アーム部１５の基端部が内嵌されて、アーム部１５を回動自在に軸支している。そして、このアーム部１５の基端部１５１の取付位置は、ドラム１２と、ドラム１２と支持部１３とを合わせた、前記回転軸と鉛直な前記回転軸方向の長さＷの中心線Ｃと重なる位置となっている。さらに、ホースドラム装置１０の全幅、つまり、ドラム１２及び支持部１３とを合わせた回転軸方向の長さ（ドラム装置１４の全幅）Ｗは、チャック本体４１のシリンダ４４，４４間の幅より狭いものになっている。
【００１９】
また、取付ブラケット１１の他端部の凹部、ここではマスト５３の後側の断面凹状の凹部１１ｃには、取付ブラケット１１に沿って配置された起伏シリンダ１７の本体部１７ｂが、内嵌された状態で、支持ピン１１ｄにより支持されている。この起伏シリンダ１７は、凹部１１ｃにシリンダロッド１７ａを他端部側に進退するように取り付けられており、シリンダロッド１７ａの先端部は、アーム部１５の基端部１５１の上の部分に、連結部１７ｄを介して支持ピン１５ｂにより回動自在に取り付けられている。なお、これら支持ピン１１ｄ、１５ｂはそれぞれ支持ピン１１ｂと平行な軸心を有する。そして、シリンダロッド１７ａを伸ばすことで、図４（ａ）に示すようにアーム部１５は前面側に傾倒する。このとき、シリンダロッド１７ａは、凹状の基端部１５１内を挿通し、取付ブラケット１１とほぼ平行となる。この起伏シリンダ１７の駆動により、アーム部１５を基端部１５１の支持ピン１１ｂを中心に回動させることができ、アーム部１５を取付ブラケット１１に対して起伏動させることができる。
この動作により、アーム部１５の先端側に支持部１３を介して設けられているドラム１２の位置を可変させることができ、例えば、チャック部４に上方から降ろした杭を把持させる際には、起伏シリンダ１７のシリンダロッド１７ａを縮ませることでドラム１２をマスト５３の前面より後方に配置させることができ、さらに、圧入完了後にホース２を回収する場合には、ドラム１２を圧入する杭の真上に配置させることができる。さらに、シリンダロッド１７ａを伸ばすことで、ドラム１２をチャック部４側に配置させることができる。この状態を図１（ａ）で符号１２’で示す。このように、マスト５３の上部に取り付けられたホースドラム装置１０を折り畳んだ際のアーム部の基端部分の状態を図５に示す。
【００２０】
図５に示すように、アーム部１５を傾倒させた際には、シリンダロッド１７ａはマスト５３の一対のレール５４，５４の間で該レール５４，５４間の中央を横切るように突出し、起伏シリンダ１７の上端は、マスト５３の上面と略面一となるとともに、ドラム１２、支持部１３及びアーム部１５はそれぞれマスト５３の上面より下方に配置される。つまり、アーム部１５を傾倒させてドラム１２をチャック部４側に傾倒させた際には、図１（ａ）に示すように、杭圧入引抜機１の高さは、ホースドラム装置１０が取り付けられられている場合でも、クランプ５２の下端からマスト５３の上面までの長さＴ１となる。
よって、杭圧入引抜機１を運搬する際に、ドラム１２をチャック部４側に傾倒させて、その上端をマスト５３の上面と略面一の状態にすることで、運搬高さを低くして、その運搬を容易に行うことができる。
このように、ホースドラム装置１０の取付ブラケット１１は、レール部５４，５４の間に形成されたマスト５３の凹部５３１内に設けられているので、レール部５４，５４の上下方向の長さを短くして、チャック部４の上下ストロークを短くすることなく、杭圧入の精度を保った状態で、凹部５３１の深さ分、ホースドラム装置１０が設けられた杭圧入引抜機１の全高を低くすることができる。つまりホースドラム装置１０が取り付けられた杭圧入引抜機１を運搬する際の運搬高さを凹部５３１の深さ分低くすることができ、運搬を容易に行うことができる。さらに、ホースドラム装置１０は、取付ブラケット１１を介してマスト５３の凹部５３１内で支持されるアーム部１５の基端部１５１を、ドラム１２の回転軸方向と直交する、ドラム１２及び支持部１３とを合わせた厚み（全幅）の中心線Ｃとほぼ重なる位置としているので、杭圧入の際に使用したホース２を巻き取る際に、アーム部１５にかかるモーメントが、従来のものと比べて小さくなり、アーム部１５の上下で生じるねじれを小さくすることができ、ドラム１２の回転によるホース２の巻き取りや繰り出しなどの作業を好適に行うことができる。なお、上記ホースドラム（ホース巻き取り）装置１０は取付ブラケット１１を介して凹部５３１に取り付けられているが、これに限らず、アーム部１５を上述したものと同様な取付位置で、同様な作用効果を有するものであれば、取付ブラケット１１をマスト５３に一体的に設けられたものとしてもよく、さらに、アーム部１５の基端部１５１をボルトやピンなどを介して凹部５３１の両側壁間に直接回動自在に取り付けた構成としてもよい。
【００２１】
［変形例］
図６に、上述した杭圧入引抜機１に設けられる杭打ち用アタッチメントとしてのホースドラム装置の変形例を示す。なお、図６に示すホースドラム装置１０Ａにおいて上述したホースドラム装置１０と同様の構成については同名称、同符号を付して説明は省略する。
図６に示すホースドラム装置１０Ａは、ホース２の巻き取り及び繰り出しが可能なドラム１２と、ドラム１２の軸方向に隣接して配置され、ドラム１２を回転自在に支持する支持部１３と、支持部１３からドラム１２の外周より外方に延出されるとともに、ドラム１２の回転軸と直交するドラム１２全幅の中心線Ｃ１に向かって曲がってなり、前記中心線Ｃ１とほぼ重なる位置で、上述した杭圧入引抜機１と同様に構成された杭圧入引抜機のマスト５３Ａの上部に取り付けられる基端部（端部）１５１Ａを有するアーム部１５Ａとを備える。このホースドラム装置１０Ａは、基端部１５１Ａでマスト５３Ａの上部で、且つレール部５４の間に形成された凹部５３１Ａに設けられた取付部材５３２を介して回動自在に取り付けられている。取付部材５３２は、凹部５３１Ａの底面から上方に突出するとともに、凹部５３１Ａの対向する側壁に沿って互いに離間して配置された一対の取付片部５３２ａ，５３２ａからなる。
この取付片部５３２ａ，５３２ａ間にアーム部１５Ａの基端部１５１Ａが挿入され、ドラム１２の軸と平行な軸である支持ピン５３２ｂ，５３２ｂにより軸支されている。これら支持ピン５３２ｂ，５３２ｂは同一軸心であり、これら支持ピン５３２ｂ，５３２ｂにて軸支されたアーム部１５Ａの基端部１５１Ａは、ドラム１２の回転軸と直交する該ドラム１２の中心線Ｃ１と重なって配置された状態となっている。このように、中心線Ｃ１とほぼ重なる位置で、基端部１５１Ａが支持されているので、杭圧入時に、ドラム１２のホース２を巻き取ったり、引き出したりする際でも、ドラム１２を介してアーム部１５Ａにかかるモーメントを極力小さくすることができ、ドラム１２を圧入する杭の真上に移動させて、圧入を補助したホースを巻き取ってもアーム部に巻き取りの際にねじれるように力が加わることがなく、好適にホース２を巻き取ることができる。
【００２２】
なお、以上の実施の形態においては、マスト５３の凹部５３１に取り付けられる装置をホースドラム装置１０、１０Ａとしたが、本発明はこれに限定されるものではなく、杭の圧入、引き抜き作業を補助するために必要なアタッチメントであれば、どのような装置を凹部５３１、５３１Ａに取り付けるようにしてもよい。例えば、機械本体部５により杭圧入とともにアースオーガを併用する場合では、アースオーガの駆動に用いる油圧モータ用のホースを巻き取る装置などとしてもよい。また、ウインチや、溶接機などの装置でもよく、さらにこれら装置に動力源となる油圧、エアなどを送給する装置としてもよい。
また、取付ブラケット、アーム部等の形状も任意であり、その他、具体的な構成要素についても適宜に変更可能であることは勿論である。例えば、アーム部１５、１５Ａを上記実施の形態では、折曲された形状としたが、湾曲した形状としてもよい。
【００２３】
【発明の効果】
本発明によれば、ホースドラム装置などのアタッチメントが取り付けられていても杭の圧入精度を高く保ちつつ、全高を凹部の深さ分低くして運搬を容易に行うことができる。また、アタッチメントをホースドラム装置とし、その端部をドラム回転軸と略平行な軸を中心に回動可能に前記機械本体の凹部に直接または取付ブラケットを介して取り付けられるようにし、前記ドラムを前記機械本体の前面側に前記軸を中心に回動させた際に、前記ドラム、支持部及びアーム部は前記機械本体の上面の高さ以下の位置に配置されるようにすれば、前記ホースドラム装置が取り付けられていても、その全高を前記機械本体の上面の高さと同様以下の高さに低く抑えることで運搬全高が低くなり、運搬を容易に行える。
【図面の簡単な説明】
【図１】本発明を適用した一実施の形態の杭圧入引抜機の構成を示す図であり、（ａ）は概略側面図、（ｂ）は概略平面図である。
【図２】図１の杭圧入引抜機の概略正面図である。
【図３】図１の杭圧入引抜機の備えるホースドラム装置を示す図であり、（ａ）は概略側面図、（ｂ）はホースドラム装置の起伏シリンダの背面図、（ｃ）はホースドラム装置のが概略正面図である。
【図４】図３のホースドラム装置において起伏シリンダのシリンダロッドを伸ばした状態を示す図であり、（ａ）は概略側面図、（ｂ）は（ａ）のＡ−Ａ線端面図である。
【図５】図１の杭圧入引抜機のマストに取り付けられたホースドラム装置においてシリンダロッドを伸ばした状態を示す図であり、（ａ）は同状態の概略平面図、（ｂ）は同状態の側断面図、（ｃ）は同状態の概略正面図である。
【図６】本発明を適用したホースドラム装置の変形例を示す正面図である。
【図７】従来の杭圧入引抜機の構成を示す概略側面図である。
【図８】従来の杭圧入引抜機の構成を示す概略正面図である。
【符号の説明】
１　　　杭圧入引抜機
２　　　ホース
４　　　チャック部
５　　　機械本体
１０，１０Ａ　　ホースドラム装置
１２　　　ドラム
１２ａ　　　回転軸
１３　　　支持部
４３　　　摺動部材
５４　　　レール部
１５１，１５１Ａ　　　基端部（端部）
５３１，５３１Ａ　　　凹部
Ｃ，Ｃ１　　　中心線
Ｔ１　　　長さ
【図１】
2004019215.tif 000003
【図２】
2004019215.tif 000004
【図３】
2004019215.tif 000005
【図４】
2004019215.tif 000006
【図５】
2004019215.tif 000007
【図６】
2004019215.tif 000008
【図７】
2004019215.tif 000009
【図８】
2004019215.tif 000010